(57)【要約】【課題】交流現像バイアスのピーク間電圧が変更されてもカブリを低減させ、安定した現像を可能にした現像装置を提供する。【解決手段】感光ドラムに形成された静電像を現像する位置へトナーを担持して搬送する現像スリーブと、前記感光ドラムに向かう方向の力を現像剤に与える飛ばし電圧と前記現像スリーブに向かう方向の力を現像剤に与える戻し電圧にて構成されるピーク間電圧を備えた交流電圧に直流電圧を重畳した現像バイアスを印加するバイアス印加手段と、を有し、前記バイアス印加手段は前記戻し電圧から前記飛ばし電圧へは矩形的に移行させるとともに前記飛ばし電圧から前記戻し電圧へはスロープ状に移行させる現像装置において、前記バイアス印加手段は、前記飛ばし電圧から前記戻し電圧への移行時間を変更することなく、前記ピーク間電圧を変更可能に構成する。【選択図】図３
2009205075.tif 000002
【特許請求の範囲】
【請求項１】
像担持体に形成された静電像を現像する位置へ現像剤を担持して搬送する現像剤担持体と、前記像担持体に向かう方向の力を現像剤に与える飛ばし電圧と前記現像剤担持体に向かう方向の力を現像剤に与える戻し電圧にて構成されるピーク間電圧を備えた交流電圧に直流電圧を重畳した現像バイアスを印加するバイアス印加手段と、を有し、前記バイアス印加手段は前記戻し電圧から前記飛ばし電圧へは矩形的に移行させるとともに前記飛ばし電圧から前記戻し電圧へはスロープ状に移行させる現像装置において、
前記バイアス印加手段は、前記飛ばし電圧から前記戻し電圧への移行時間を変更することなく、前記ピーク間電圧を変更可能であることを特徴とする現像装置。
【請求項２】
前記バイアス印加手段は、
前記ピーク間電圧が変更されたときに、前記飛ばし電圧の印加時間と、前記飛ばし電圧から前記戻し電圧への移行時間と、前記戻し電圧の印加時間との比が略一定となるように前記飛ばし電圧から前記戻し電圧へ移行するスロープの傾きを変更することを特徴とする請求項１記載の現像装置。
【請求項３】
像担持体に形成された静電像を現像する位置へ現像剤を担持して搬送する現像剤担持体と、前記像担持体に向かう方向の力を現像剤に与える飛ばし電圧と前記現像剤担持体に向かう方向の力を現像剤に与える戻し電圧にて構成されるピーク間電圧を備えた交流電圧に直流電圧を重畳した現像バイアスを前記現像剤担持体に印加するバイアス印加手段と、を有し、前記バイアス印加手段は前記戻し電圧から前記飛ばし電圧へは矩形的に移行させるとともに前記飛ばし電圧から前記戻し電圧へはスロープ状に移行させる現像装置において、
前記バイアス印加手段は、前記交流電圧の１周期に対する前記飛ばし電圧から前記戻し電圧への移行時間の比を変更することなく、前記交流電圧の周期を変更可能であることを特徴とする現像装置。
【請求項４】
前記バイアス印加手段は、
前記周期が変更されたときに、前記飛ばし電圧の印加時間と、前記飛ばし電圧から前記戻し電圧への移行時間と、前記戻し電圧の印加時間との比が略一定となるように前記飛ばし電圧から前記戻し電圧へ移行するスロープの傾きを変更することを特徴とする請求項３記載の現像装置。
【請求項５】
像担持体に形成された静電像を現像する位置へ現像剤を担持して搬送する現像剤担持体と、前記像担持体に向かう方向の力を現像剤に与える飛ばし電圧と前記現像剤担持体に向かう方向の力を現像剤に与える戻し電圧にて構成されるピーク間電圧を備えた交流電圧に直流電圧を重畳した現像バイアスを印加するバイアス印加手段とを有する現像装置において、
前記バイアス印加手段は、所定の傾きを持って電圧が変化するスロープ部分を持つ交流電圧を出力し、前記傾きが交流電圧のピーク間電圧を大きくすると大きくなるように変更されることを特徴とする現像装置。
【請求項６】
像担持体に形成された静電像を現像する位置へ現像剤を担持して搬送する現像剤担持体と、前記像担持体に向かう方向の力を現像剤に与える飛ばし電圧と前記現像剤担持体に向かう方向の力を現像剤に与える戻し電圧にて構成されるピーク間電圧を備えた交流電圧に直流電圧を重畳した現像バイアスを印加するバイアス印加手段とを有する現像装置において、
前記バイアス印加手段は、所定の傾きを持って電圧が変化するスロープ部分を持つ交流電圧を出力し、前記傾きが周期が短くなると大きくなるように変更されることを特徴とする現像装置。
【発明の詳細な説明】
【技術分野】
【０００１】
本発明は、像担持体に形成した静電像を現像剤担持体に担持した現像剤により現像する現像装置に関する。
【背景技術】
【０００２】
電子写真方式、静電記録方式の画像形成装置では、像担持体である感光ドラムに静電像を形成し、この静電像を現像装置により現像して可視像化するのが一般的である。この現像装置は、感光ドラムと、これに対向して配置された現像剤担持体である現像スリーブとの間に現像バイアスを印加して電界を発生させ、現像剤（以下、トナーという）を現像スリーブから感光ドラムに転移させる。
【０００３】
現像バイアスは、現像スリーブから感光ドラムにトナーを転移させて現像するための飛ばし電圧Ｖdevと、逆に感光ドラムから現像スリーブへ転移させてカブリを少なくするための戻し電圧Ｖdefとの交流電圧を印加する。
【０００４】
近年では前記現像バイアスの印加の方法として、図８に示すように、飛ばし電圧Ｖdevから戻し電圧Ｖdefの移行をスロープ状にしたスロープバイアス波形が提案されている。このように、前記のように電圧変化をスロープ状にすることにより、反転カブリが少なく、より安定した画像濃度が得られる利点がある（特許文献１）。
【０００５】
【特許文献１】特開２０００−２１４６６６号公報
【発明の開示】
【発明が解決しようとする課題】
【０００６】
スロープバイアス波形において、近年の高画質化やマテリアル対応の拡大により、環境条件や、ユーザの画質項目に対する優先度（文字再現優先、低カブリ優先等）により現像条件を変更する制御が求められている。その結果、現像バイアスに関しても、前記飛ばし電圧と戻し電圧の差であるピーク間電圧Ｖppや周波数Ｔを条件に応じて変更する必要が生ずる。
【０００７】
しかし、図９に示すように、従来の固定スロープの傾きでは、前記ピーク間電圧Ｖppを変更すると（Ｖpp1、Ｖpp2、Ｖpp3）、飛ばし電圧から戻し電圧へ移行するスロープ時間が変化する（Ｔs1、Ｔs2、Ｔs3）。このため、周期Ｔに対するスロープ時間Ｔsの比率が変わってしまう。
【０００８】
前記ピーク間電圧Ｖppを大きくすれば（Ｖpp1→Ｖpp2→Ｖpp3）スロープ時間Ｔsが長くなるため（Ｔs1→Ｔs2→Ｔs3）、周期Ｔに対するスロープ時間の比率が大きくなる。逆に、ピーク間電圧Ｖppを小さくすればスロープ時間Ｔsが短くなるため、周期Ｔに対するスロープ時間Ｔsの比率が下がってしまう。
【０００９】
交流周波数を変更した場合も同様である。図10のバイアス波形(a)→(b)→(c)に示すように、交流周波数を上げるとスロープ時間Ｔsは一定であるが、周期Ｔが小さくなる（Ｔ1→Ｔ2→Ｔ3）。このため、周期Ｔに対するスロープ時間Ｔsの比率が上がる。逆に周波数を下げれば、周期Ｔに対するスロープ時間Ｔsの比率が下がる。
【００１０】
周期Ｔに対するスロープ時間Ｔsの比率としては0.3Ｔ〜0.5Ｔが好適であり、最適値としては0.4Ｔ前後である。この比率が小さくなると、矩形波と変わらなくなって反転カブリが悪化してしまう。逆に前記比率が大きくなると、三角波に近くなって画像濃度が低下してしまう。
【００１１】
本発明は上記点に鑑みてなされたものであり、その目的は、交流現像バイアスのピーク間電圧が変更されてもカブリを低減させ、安定した現像を可能にした現像装置を提供するものである。
【００１２】
本発明の他の目的は、交流現像バイアスの周期が変更されてもカブリを低減させ、安定した現像を可能にした現像装置を提供するものである。
【課題を解決するための手段】
【００１３】
上記課題を解決するための本発明における代表的な手段は、像担持体に形成された静電像を現像する位置へ現像剤を担持して搬送する現像剤担持体と、前記像担持体に向かう方向の力を現像剤に与える飛ばし電圧と前記現像剤担持体に向かう方向の力を現像剤に与える戻し電圧にて構成されるピーク間電圧を備えた交流電圧に直流電圧を重畳した現像バイアスを印加するバイアス印加手段と、を有し、前記バイアス印加手段は前記戻し電圧から前記飛ばし電圧へは矩形的に移行させるとともに前記飛ばし電圧から前記戻し電圧へはスロープ状に移行させる現像装置において、前記バイアス印加手段は、前記飛ばし電圧から前記戻し電圧への移行時間を変更することなく、前記ピーク間電圧を変更可能であることを特徴とする。
【００１４】
また、本発明の他の構成は、像担持体に形成された静電像を現像する位置へ現像剤を担持して搬送する現像剤担持体と、前記像担持体に向かう方向の力を現像剤に与える飛ばし電圧と前記現像剤担持体に向かう方向の力を現像剤に与える戻し電圧にて構成されるピーク間電圧を備えた交流電圧に直流電圧を重畳した現像バイアスを印加するバイアス印加手段と、を有し、前記バイアス印加手段は前記戻し電圧から前記飛ばし電圧へは矩形的に移行させるとともに前記飛ばし電圧から前記戻し電圧へはスロープ状に移行させる現像装置において、前記バイアス印加手段は、前記交流電圧の１周期に対する前記飛ばし電圧から前記戻し電圧への移行時間の比を変更することなく、前記交流電圧の周期を変更可能であることを特徴とする。
【発明の効果】
【００１５】
本発明にあっては、現像バイアスのピーク間電圧あるいは周期が変化した場合であっても、バイアス印加手段により飛ばし電圧から戻し電圧への移行時間を変更しないようにバイアス印加する。これにより、カブリを低減させ、安定した現像が行われる。
【発明を実施するための最良の形態】
【００１６】
次に本発明の実施形態に係る現像装置について、これを備えた画像形成装置を例示して説明する。
【００１７】
〔第１実施形態〕
図１は第１実施形態に係る画像形成装置の模式説明図である。先ず、画像形成装置の全体構成について説明する。
【００１８】
［画像形成装置の全体構成］
本実施形態の画像形成装置は、装置本体の上部に原稿読取部１が配置され、その下に画像形成部２が配置されている。原稿読取部１は原稿台ガラス３上に載置された原稿、又は原稿送り装置４によって送られる原稿を光学的に読み取り、その読み取り情報をデジタル信号に変換して画像形成部２へ伝送する。
【００１９】
画像形成部２は原稿読取部１で読み取られた原稿情報に基づき、電子写真方式によってシートに画像を形成する。具体的には、回転する像担持体としての感光ドラム５の表面を帯電器６によって帯電し、前記読み取り情報に基づいてレーザ光源７から選択的な露光を行うことで静電像を形成する。この静電像を現像装置８によってトナー現像することで可視像化する。
【００２０】
上記トナー像の形成と同期するように、画像形成部２の下方に配置されたシートカセット９、あるいはシートデッキ10に収納されたシートを給送ローラ11、搬送ローラ12により転写部へと搬送する。転写部には転写帯電器13が配置されており、転写バイアスを印加して感光ドラム上のトナー像を搬送されるシートに転写する。このとき、シートに転写されずに感光ドラム５に残留したトナーはクリーニング部14において除去される。
【００２１】
一方、搬送ベルト15はトナー像が転写されたシートを定着部16へ搬送し、この定着部16によりシートを加熱、加圧してトナー像を定着した後、排出ローラ17により排出トレイ18に排出する。なお、両面記録を行う場合には、前記のようにして片面記録がなされたシートを再送搬送路19へと搬送して再度転写部へと搬送することで両面記録をした後、排出トレイ18へ排出する。
【００２２】
［現像装置］
次に第１実施形態に係る現像装置８について説明する。図１に示すように、本実施形態の現像装置８には感光ドラム５と対向して現像剤担持体としての現像スリーブ20が回転可能に設けられている。現像スリーブ20は筒状に形成され、内部にマグネットローラ（不図示）が固定配置されている。そして、現像スリーブ20が回転することで現像スリーブ表面にトナー層が形成されて感光ドラム５の静電像を現像する位置にトナーを搬送する。この状態で現像スリーブ20と感光ドラム５間に現像バイアスを印加して両者間に電界を生じさせることで、感光ドラム５に形成された静電像に対応して現像スリーブ上のトナーが感光ドラム５に転移し、静電像を顕像化する。印加する現像バイアスは現像バイアス印加手段によってＤＣバイアス（直流電圧）とＡＣバイアス（交流電圧）とを重畳して印加する。
【００２３】
（現像バイアス印加構成）
ここで現像バイアス印加手段の構成と、これを制御する制御部の構成について、図２を参照して説明する。
【００２４】
制御部305にはＣＰＵ308、ＣＬＫ（クロック）生成回路304、Ｄ／Ａ変換回路307が設けられている。現像バイアス印加手段を構成する現像基板300上にはＤＣバイアス生成部303とＡＣバイアス生成部301が設けられている。
現像基板300のＤＣバイアス生成部303には制御部305からＤＣ電圧制御信号が伝達され、感光ドラム上の静電像とのコントラスト電位を確保するためのＤＣ電圧制御が行なわれる。ＡＣバイアス生成部301は、現像スリーブから感光ドラムに向かう方向の力をトナーに与える飛ばし電圧と、感光ドラム上のトナーに対して感光ドラムから現像スリーブに向かう方向の力トナーにを与える戻し電圧を周期的に印加するものである。そして、このＡＣバイアス生成部301は、制御部305からＡＣ波形の周波数を決定するＡＣ−ＣＬＫ信号と、前記飛ばし電圧と戻し電圧で構成されるＡＣ波形のピーク間電圧Ｖppを制御するＡＣ電圧制御信号が伝達されている。
【００２５】
そして、本実施形態の現像バイアス印加手段は、記録シートの種類に応じて前記ＡＣ電圧のピーク間電圧を自動的に変更してカブリを抑制するように構成されている。例えば、ユーザが操作部から記録シートの種類を選択し、スタートキーを押して、画像形成をスタートさせる。このとき、記録シートとして普通紙が選択された場合には、制御部305よりＶpp電圧1.5ｋＶに相当する制御信号が入力され、コート紙が選択された場合には、制御部305よりＶpp電圧1.4ｋＶに相当する制御信号が入力される。
【００２６】
コート紙が選択された場合にＶpp電圧を下げるのは、コート紙ではカブリが目立つため、正規カブリ低減を優先するためである。なお、ここでいう正規カブリとは、正規帯電トナーによるカブリであり、スロープ波形によって低減される反転帯電カブリとは異なるものである。
【００２７】
また、前記ＡＣ電圧の印加に際し、現像バイアス印加手段は前記戻し電圧から前記飛ばし電圧へは矩形的に移行させる。一方、前記飛ばし電圧から前記戻し電圧へはスロープ状に移行させるようにＡＣバイアスを生成する。
【００２８】
ここで、前記「矩形的な移行」とは、戻し電圧から飛ばし電圧への移行が、ＡＣ波形の１周期に対する比率として０〜０．１の範囲で行われるものである。
【００２９】
また、前記「スロープ状に移行」とは、前記飛ばし電圧から戻し電圧への移行が、ＡＣ波形１周期に対する比率として０．３〜０．５の範囲で行われるものである。
【００３０】
そして、本実施形態の現像バイアス印加手段では、上記のようなＡＣバイアスを生成するＡＣバイアス生成部において、前記飛ばし電圧から戻し電圧への移行時間を変更することなく、前記ピーク間電圧を変更可能に構成している。すなわち、ピーク間電圧が変更された場合、これに応じて飛ばし電圧から戻し電圧への移行スロープの傾きを変更するように構成している。例えば、ピーク間電圧であるＡＣバイアスの振幅を大きくしたときに前記スロープの傾きが大きくなるようにする。
【００３１】
図３は本実施形態のＡＣバイアス生成部の構成を示す回路図である。図３に示すように、ＡＣバイアス生成部は、入力されたＶref−ｃｏｎｔ信号の電圧によりＡＣ波形のピーク間電圧の基準となるＶref電圧を生成するＤＣ−ＤＣ回路110、スロープ波形を生成するスロープ波形生成部（スロープ電圧生成部）111、スロープ波形生成部111で生成されたスロープ信号を電流増幅する電流増幅部113、電流増幅された駆動信号により駆動されるトランス114からなる。
【００３２】
スロープ波形生成部111は所定の傾きをもって電圧が変化するスロープ部分を有するＡＣバイアスを出力するものであり、大きく分けると定電流回路112とＦＥＴ101から構成されている。ＣＬＫ信号がＬの間は、トランジスタＴｒ102がオフしてＦＥＴ101のゲートにバイアス電圧が印加され、ＦＥＴ101がオンする結果、コンデンサＣ101がＧＮＤに抵抗Ｒ106を介してショートされ、Ｓｉｇ１はほぼＧＮＤ電位となる。ＣＬＫ信号がＨになると、トランジスタＴｒ102がオンしてＦＥＴ101がオフする。定電流回路は常に動作しているため、定電流回路112により一定電流でコンデンサＣ101が充電される結果、図４のスロープ部分Ｔsの波形が生成される。
【００３３】
定電流回路112は抵抗Ｒ101の両端電圧が一定になるように動作するが、その電圧を決めるのはオペアンプＯＰ101の非反転入力端子とＶref間の電圧であり、非反転入力端子の電圧はＶrefを抵抗Ｒ103と抵抗Ｒ104で分圧して作っているため、Ｖrefを変えた場合には、それに比例して変わることになる。
【００３４】
ここで、コンデンサＣ101を充電する定電流回路の出力電流をＩconst、抵抗Ｒ103の両端の電圧をＶdefとすると、Ｉconstは以下の式で表わせる。
【００３５】
Ｉconst＝Ｖref×(Ｒ103／(Ｒ103＋Ｒ104))／Ｒ101
【００３６】
また、Ｃ101がＩconstにより充電される時間Ｔsは、コンデンサＣ101の容量をＣｔとすると、
【００３７】
Ｔs×Ｉconst＝Ｃｔ×Ｖrefであるから、
【００３８】
Ｔs＝Ｃｔ×Ｖref／（Ｖref×(Ｒ103／(Ｒ103＋Ｒ104))／Ｒ101）
＝Ｃｔ ×Ｒ101×(Ｒ103＋Ｒ104)／Ｒ103
【００３９】
となり、Ｖrefに関係しない一定時間となる。
【００４０】
このように、コンデンサＣ101の充電電流はＶrefに比例しているため、Ｖrefに比例してＩconstが決まり、Ｖrefを変えた場合にもコンデンサＣ101をＧＮＤ電位からＶref電位まで充電する時間が変化しない。結果として、Ｓｉｇ１は図４のようになる。
【００４１】
Ｓｉｇ１は電流増幅部113で電流増幅されてトランス114に入力され、トランス114から出力される高圧波形はＳｉｇ１と相似形となり、Ｖref−ｃｏｎｔによりピーク間電圧が調整され、Ｖppの変更によってスロープ時間Ｔsが変化しない高圧ＡＣ波形が得られる。
【００４２】
なお、本実施形態にあっては、ピーク間電圧を変更するときに、ＡＣ波形１周期において、飛ばし電圧の印加時間と、飛ばし電圧から戻し電圧への移行時間であるスロープ時間と、戻し電圧の印加時間との比が一定になるように構成している。
【００４３】
このように、記録シートの種類により現像ＡＣバイアスのピーク間電圧Ｖppを図４に示すバイアス波形(a)→(b)→(c)に示すように、変更した場合においても（Ｖpp1→Ｖpp2→Ｖpp3）、ＡＣ波形の飛ばし電圧から戻し電圧への移行時間であるスロープ時間Ｔsは変わらない。このため、低い反転カブリと安定した画像濃度が得られ、かつピーク間電圧Ｖppの変更により正規カブリの発生を抑制できる。
【００４４】
なお、ピーク間電圧Ｖppを変更したときに、前記スロープ時間Ｔsが変化しても、その変化が僅かであればカブリ防止効果は発揮できる。したがって、スロープ波形生成部は、ピーク間電圧を変更するときに、飛ばし電圧から戻し電圧への移行時間であるスロープ時間が略一定に維持される構成であればよい。
【００４５】
また、本実施形態では、ユーザがシート選択することで、ピーク間電圧Ｖppを変更する例を示した。しかし、ユーザもしくはサービスマンがカブリ優先か濃度優先かを選択できるようにしても良い。
【００４６】
〔第２実施形態〕
次に本発明の第２実施形態に係る現像バイアス印加構成について説明する。第２実施形態が第１実施形態と異なるのは、第１実施形態のようにシートの種類に応じて現像ＡＣバイアスのピーク間電圧Ｖppを変更するのではなく、周波数Ｔを変更するところである。他の構成は第１実施形態と同様であるので、現像バイアス印加手段としての現像基板300の構成と、現像基板300を制御する制御部305との構成について、図５を参照して説明する。
【００４７】
現像基板上にはＤＣバイアス生成部とＡＣバイアス生成部がある。ＤＣバイアス生成部には制御部からＤＣ電圧制御信号が伝達され、感光体上の静電像とのコントラスト電位を確保するためのＤＣ電圧制御が行なわれる。ＡＣバイアス生成部には、制御部からＡＣ波形の周波数を決定するＡＣ−ＣＬＫ信号と、ＡＣ波形のＶppを制御するＡＣ電圧制御信号、更にＡＣスロープ部分の傾きを制御するＳＬＯＰＥ−ｃｏｎｔ信号が伝達されている。
【００４８】
そして、本実施形態の現像バイアス印加手段は、記録シートの種類に応じて前記ＡＣ電圧の周波数を自動的に変更してカブリを抑制するように構成されている。例えば、ユーザが操作部から記録シートの種類を選択し、スタートキーを押して、画像形成をスタートさせる。このとき、記録シートとして普通紙が選択された場合には、制御部305よりＶpp電圧1.5ｋＶに相当するＡＣ電圧制御信号と、周波数２ｋＨｚに相当するＡＣ−ＣＬＫ信号およびＳＬＯＰＥ−ｃｏｎｔ信号として０Ｖが入力される。一方、コート紙が選択された場合には、制御部305よりＶpp電圧1.5ｋＶに相当するＡＣ電圧制御信号と、周波数2.4ｋＨｚに相当するＡＣ−ＣＬＫ信号およびＳＬＯＰＥ−ｃｏｎｔ信号としてＶsl(Ｖ)が入力される。コート紙が選択された場合に周波数を上げるのは、コート紙ではカブリが目立つため、正規カブリ低減を優先するためである。周波数を上げることで、正規帯電トナーの現像性が落ち、結果として正規カブリが低減される。
【００４９】
現像バイアス生成部のうち、ＡＣバイアス生成部は図６のように構成されている。
【００５０】
ＡＣバイアス生成部は、入力されたＶref−ｃｏｎｔ信号の電圧によりＡＣ波形のピーク間電圧の基準となるＶref電圧を生成するＤＣ−ＤＣ回路110、スロープ波形を生成するスロープ波形生成部111、スロープ波形生成部で生成されたスロープ信号を電流増幅する電流増幅部113、電流増幅された駆動信号により駆動されるトランス114からなる。
【００５１】
スロープ波形生成部は大きく分けると定電流回路112とＦＥＴ101から構成される。ＣＬＫ信号がＬの間は、トランジスタＴｒ102がオフしてＦＥＴ101のゲートにバイアス電圧が印加され、ＦＥＴ101がオンする結果、コンデンサＣ101がＧＮＤにＲ106を介してショートされ、Ｓｉｇ１はほぼＧＮＤ電位となる。ＣＬＫ信号がＨになると、トランジスタＴｒ102がオンしてＦＥＴ101がオフする。定電流回路は常に動作しているため、定電流回路112により一定電流でＣ101が充電される結果、図７のスロープ部分Ｔsの波形が生成される。定電流回路112は抵抗Ｒ101の両端電圧が一定になるように動作するが、その電圧を決めるのはオペアンプＯＰ101の非反転入力端子とＶref間の電圧であり、非反転入力端子の電圧はＶrefを抵抗Ｒ103と抵抗Ｒ104で分圧して作ったものからＳＬＯＰＥ−ｃｏｎｔ信号の電圧Ｖslを引いて作っている。引き算回路はオペアンプＯＰ102と抵抗Ｒ111〜Ｒ114で構成され、抵抗Ｒ111〜Ｒ114の抵抗値を全て同じ値としている。コンデンサＣ101を充電する定電流回路の出力電流をＩconst、抵抗Ｒ103の両端の電圧をＶdefとすると、Ｉconstは以下の式で表わせる。
【００５２】
Ｉconst＝(Ｖref×(Ｒ103／(Ｒ103＋Ｒ104))+Ｖsl)／Ｒ101
【００５３】
また、コンデンサＣ101がＩconstにより充電される時間Ｔsは、コンデンサＣ101の容量をＣｔとすると、
【００５４】
Ｔs×Ｉconst＝Ｃｔ×Ｖrefであるから、
【００５５】
Ｔs＝Ｃｔ×Ｖref／（(Ｖref×(Ｒ103／(Ｒ103＋Ｒ104)+Ｖsl)／Ｒ101)
【００５６】
となる。
【００５７】
ここで、先程説明したように、ＡＣバイアスの周期Ｔは普通紙の場合と比べて２割短くなっているため、反転カブリ抑制のためには、同じ比率でＴsを短くする必要がある。
【００５８】
よって、以下の式となる。
【００５９】
Ｃｔ×Ｖref／（(Ｖref×(Ｒ103／(Ｒ103＋Ｒ104)+Ｖsl)／Ｒ101)＝Ｃｔ×Ｖref／（(Ｖref×(Ｒ103／(Ｒ103＋Ｒ104)+０)／Ｒ101)
【００６０】
この式から、
【００６１】
Ｖsl＝Ｖref×(Ｒ103／(Ｒ103＋Ｒ104)×0.2となるＶslを設定することで、Ｔsが２割短くなる。
【００６２】
Ｖslを設定することで、Ｉconstが増え、Ｃ101をＧＮＤ電位からＶref電位まで充電する時間が調整することができる。結果として、Ｓｉｇ１は図７のようになる。
【００６３】
Ｓｉｇ１は電流増幅部113で電流増幅されてトランス114に入力され、トランス114から出力される高圧波形はＳｉｇ１と相似形となり、ＡＣバイアスの周波数を変えた場合も、ＡＣ波形１周期に対する飛ばし電圧から戻し電圧への移行時間となるスロープ時間Ｔsの比率を変更しない高圧ＡＣ波形が得られる。
【００６４】
このように、記録シートの種類により、図７のバイアス波形(a)→(b)に示すように、現像ＡＣバイアスの周波数を変更した場合においても、ＡＣ波形の１周期Ｔ（Ｔ1→Ｔ2）に対するスロープ時間Ｔs（Ｔs1→Ｔs2）の比率が変わらない。このため、低い反転カブリと安定した画像濃度が得られ、かつ周波数アップにより正規カブリを制御できる。
【００６５】
なお、本実施形態にあってもＡＣバイアスの周波数を変更したときに、１周期に対するスロープ時間の比率が変化しても、その変化が僅かであればカブリ防止効果は発揮できる。したがって、スロープ波形生成部は、ＡＣバイアス周波数を変更するときに、１周期に対するスロープ時間の比率が略一定に維持される構成であればよい。例えば、周期が短くなると、前記スロープの傾きが大きくなるように変更すればよい。
【００６６】
また、本実施形態にあってもユーザがシート選択することで、周波数を変更する例を示したが、ユーザもしくはサービスマンがカブリ優先か濃度優先かを選択できるようにしても良い。
【図面の簡単な説明】
【００６７】
【図１】第１実施形態に係る画像形成装置の模式説明図である。
【図２】第１実施形態に係る制御部及び現像バイアス手段の構成図である。
【図３】第１実施形態に係る現像バイアス手段の回路構成図である。
【図４】第１実施形態に係るＡＣバイアスピーク間電圧の変更と、スロープ部分の対応を示すグラフである。
【図５】第２実施形態に係る制御部及び現像バイアス手段の構成図である。
【図６】第２実施形態に係る現像バイアス手段の回路構成図である。
【図７】第２実施形態に係るＡＣバイアスの周期の変更と、スロープ部分の対応を示すグラフである。
【図８】現像バイアスの飛ばし電圧から戻し電圧の移行をスロープ状にしたスロープバイアス波形を示すグラフである。
【図９】従来技術に係るＡＣバイアスピーク間電圧の変更と、スロープ部分の対応を示すグラフである。
【図１０】従来技術に係るＡＣバイアスの周期の変更と、スロープ部分の対応を示すグラフである。
【符号の説明】
【００６８】
Ｔs    …スロープ時間
Ｖdef  …カブリ取り電圧
Ｖdev  …現像電圧
１    …原稿読取部
２    …画像形成部
３    …原稿台ガラス
４    …原稿送り装置
５    …感光ドラム
６    …帯電器
７    …レーザ光源
８    …現像装置
９    …シートカセット
10    …シートデッキ
11    …給送ローラ
12    …搬送ローラ
13    …転写帯電器
14    …クリーニング部
15    …搬送ベルト
16    …定着部
17    …排出ローラ
18    …排出トレイ
19    …再送搬送路
20    …現像スリーブ
21    …排出ローラ
101    …ＦＥＴ
110   …ＤＣ−ＤＣ回路
111   …スロープ波形生成部
112   …定電流回路
113   …電流増幅部
114   …トランス
300   …現像基板
305   …制御部
【図１】
2009205075.tif 000003
【図２】
2009205075.tif 000004
【図３】
2009205075.tif 000005
【図４】
2009205075.tif 000006
【図５】
2009205075.tif 000007
【図６】
2009205075.tif 000008
【図７】
2009205075.tif 000009
【図８】
2009205075.tif 000010
【図９】
2009205075.tif 000011
【図１０】
2009205075.tif 000012